(57)【要約】【課題】  ＧＰＳによる位置計測を確保する。【解決手段】  撮像装置本体（１０）の上面側かつ背面側に配置されるカラービューファインダ部（ＣＶＦ部）（１８）の上側に重ねるように、ＧＰＳ受信部（２０）を配置する。ＧＰＳ受信部（２０）とレンズ部（１２）との間に、アクセサリ取付け部（１６）を配置する。【選択図】図１
2010245764.tif 000002
【特許請求の範囲】
【請求項１】
撮像レンズと、
撮像装置本体の上面側かつ背面側に配置され撮像画像を表示できるビューファインダ部と、
前記ビューファインダ部の筐体内の上方に配置されたＧＰＳ受信部
とを有することを特徴とする撮像装置。
【請求項２】
前記撮像レンズの側面側に配置される把持部をさらに備え、撮影者が前記把持部を把持した際にも前記ＧＰＳ受信部の上方がＧＰＳ衛星からの信号に対して隠ぺいされないことを特徴とする請求項１に記載の撮像装置。
【請求項３】
前記撮像レンズと前記ビューファインダ部との間にアクセサリ取付け部をさらに備えることを特徴とする請求項１に記載の撮像装置。
【請求項４】
前記ビューファインダ部は、前記撮像装置本体に対して背面方向に移動可能であることを特徴とする請求項１に記載の撮像装置。
【発明の詳細な説明】
【技術分野】
【０００１】
本発明は、ＧＰＳ（Global Positioning System）受信器を有する撮像装置に関する。
【背景技術】
【０００２】
【先行技術文献】
【特許文献】
【０００３】
【特許文献１】特開２００１−２２８５２７号公報
【０００４】
近年、撮像装置にＧＰＳ（Global Positioning System ）受信器を接続又は内蔵し、撮影画像に測位情報を埋め込んで記録媒体に記録することが行われている。ＧＰＳ受信器は、受信性能を確保する為にも天空に向ける必要がある。ＧＰＳ受信器の上面側が電波を遮蔽しやすいものに遮られると、著しく受信性能が低下する。そのため、ＧＰＳ受信器は、撮像装置の通常使用時に天空を向く位置で、かつその上面側が遮蔽物に覆われない位置に配置するのが望ましい。
【０００５】
特許文献１には、撮像装置のショルダーベルトの肩当てにＧＰＳ受信器を配置することが記載されている。
【発明の概要】
【発明が解決しようとする課題】
【０００６】
特許文献１に記載の配置では、通常使用時、ＧＰＳ受信器が天空を向き、人体の影響を受けることも少ないが、ショルダーベルトを外すとＧＰＳ機能が使えない。また、フレキシブルなショルダーベルトの肩当てまで、ＧＰＳ受信器と撮像装置本体との間の電気的接続を確保するのが難しいという問題がある。
【０００７】
本発明は、このような不都合を解決する撮像装置を提示することを目的とする。
【課題を解決するための手段】
【０００８】
本発明に係る撮像装置は、撮像レンズと、撮像装置本体の上面側かつ背面側に配置され撮像画像を表示できるビューファインダ部と、前記ビューファインダ部の筐体内の上方に配置されたＧＰＳ受信部とを有することを特徴とする。
【発明の効果】
【０００９】
本発明によれば、上記のようにＧＰＳ受信部を配置することで、通常使用時に良好な受信感度を得ることができる。ＧＰＳ受信を妨げる要素がＧＰＳ受信器上を覆うことを防止し、ＧＰＳの受信感度の低下を減ずることができる。
【図面の簡単な説明】
【００１０】
【図１】本発明の第１実施例の上面図である。
【図２】第１実施例の背面側から見た斜視図である。
【図３】第１実施例の背面図である。
【図４】第１実施例の右側面図（外部マイク装着）である。
【図５】第１実施例の外部マイクと把持する手により隠蔽される範囲を説明する上面図である。
【図６】ＣＶＦ部とＧＰＳ受信部の位置関係を説明する側面図である。
【図７】第２実施例の上面図である。
【図８】第２実施例の背面図である。
【図９】第２実施例の把持する手により隠蔽される範囲を説明する上面図である。
【図１０】第２実施例の背面側から見た斜視図（ＣＶＦ部引き出し状態）である。
【図１１】第２実施例の上面図（ＣＶＦ部引き出し状態）である。
【発明を実施するための形態】
【００１１】
以下、図面を参照して、本発明の実施例を詳細に説明する。
【実施例１】
【００１２】
図１は本発明の一実施例の上面図を示し、図２は、背面側から見た斜視図を示す。なお、本実施例では、被写体側からレンズ部１２を見た面を正面とする。そして、正面から見て右側の面を右側面、正面からみて左側の面を左側面、正面から見て上側の面を上面、正面から見て下側の面を底面、正面と対向する面を背面とする。
【００１３】
１０は、本実施例に係る撮像装置本体である。１２は、被写体を撮像するための撮像レンズを有するレンズ部である。１４は、多数のマイクエレメントを平面状に並べ立体的に音声を集音するサラウンドマイクを構成するマイクである。１６は、外部マイクや外部ビデオライトなどのアクセサリを取り付けるアクセサリ取付け部である。１８は、撮像した画像を表示し、ユーザが接眼部を覗き込むことで撮像画像を視認可能なカラービューファインダ部（ＣＶＦ部）である。２０は、ＣＶＦ部１８の筐体内上面側に配置されＧＰＳ衛星から位置情報を取得するＧＰＳ受信部である。２２は撮像した画像などを記録媒体に記録する記録部である。２４は撮像された画像を表示するＬＣＤ部である。２６は撮像装置本体１０とＬＣＤ部２４とを離間可能に接続するヒンジ部である。２８は撮像装置本体１０に電源を供給するバッテリである。
【００１４】
レンズ部１２の光軸後方に設置された撮像素子に被写体の光学像が結像する。撮像素子は、撮像面上の光学像に対応する画像信号を出力し、撮像装置本体１０内部の図示しない画像処理回路等によりデジタル変換およびデータ圧縮され、記録部２２により記録媒体（ＨＤＤ等）に記録される。画像処理回路で処理された画像信号は、ＣＶＦ部１８またはＬＣＤ部２４により画像として表示される。
【００１５】
ＬＣＤ部２４は、ヒンジ部２６によって撮像装置本体１０に対して離間自在に連結されている。すなわち、撮影中はＬＣＤ部２４を撮像装置本体１０に対して離間させ、ユーザが撮影内容を視認しやすい位置までＬＣＤ部２４を移動させることができる。
【００１６】
図３は、撮像装置本体１０をユーザが把持した状態の背面図を示す。撮像装置本体１０を把持するユーザの手を破線で図示してある。図４は、アクセサリの一例として外部マイク３０をアクセサリ取付け部１６に装着した状態の側面図を示す。図５は、撮像装置本体の上面図を示す。図５では、ユーザの手で覆われる把持範囲３２と外部マイク３０により覆われる範囲３４をそれぞれ破線で図示してある。
【００１７】
図３に示すように、ユーザは、撮影に際して、右手で左側面側に配置された記録部２２側を把持する。記録部２２は、レンズ部１２を含む鏡筒上面部よりも上面方向へ突出しているので、把持範囲３２（図５）は、撮像装置本体１０の上面部の左半分程度におさまる。記録部２２と対向する右側面側にはＬＣＤ部２４が配置される。このような配置により、ユーザは、撮影時、把持する手を気にすることなく、ＬＣＤ部２４に表示される撮像画像を良好に視認できる。
【００１８】
把持範囲３２を避けた撮像装置本体１０の上面側には、正面側からマイク１４、アクセサリ取付け部１６およびＣＶＦ部１８が光軸方向に並んで配置される。これらの撮像装置構成要素１４，１６，１８を、把持範囲３２とＬＣＤ部２４との間に配置することによって、撮影時、撮影の邪魔にならず良好に各要素の機能を発揮することが可能となる。さらに、これらの撮像装置構成要素１４、１６、１８の配置は、撮像装置本体１０を三脚や机の上などに据え置いて撮影する状況を考慮すると、底面側より上面側への配置が好ましいことは明らかである。マイク１４は、被写体の音声を良好に集音できるように、被写体に近い正面側に配置される。また、ＣＶＦ部１８は、撮影者が覗き込むことによって表示画像を視認する目的のものであるので、被写体側と対向する面である背面側に配置される。アクセサリ取付け部１６は、マイク１４とＣＶＦ部１８の間配置される。
【００１９】
外部アクセサリには外部マイク、ビデオライト及び外部ストロボなどがあり、これらは、被写体に対して作用するものであるので、装着状態で装着位置から被写体側に向けて突出する場合が多い。図５に範囲３４として図示したように、外部アクセサリの装着時にはアクセサリ取付け部１６より前方が、一般に外部アクササリによって覆われる。そこで、ＧＰＳ受信部２０をアクセサリ取付け部１６の後方に配置することで、ＧＰＳ受信部２０の上側が外部アクセサリなどの遮蔽物で覆われる可能性を低減できる。ただし、ＧＰＳ受信部２０はそれを構成する要素（アンテナや駆動ＩＣ）の物理的な制約により、ある程度の配置面積を必要とする。単純にＧＰＳ受信部２０とＣＶＦ部１８を光軸方向に並べてしまったのでは、撮像装置本体１０の長手方向（光軸方向）の最大寸法が大きくなってしまう。そこで、本実施例では、ＧＰＳ受信部２０をＣＶＦ部１８の筐体の上方に配置した。この位置に配置することで、ＧＰＳ受信部２０は、図５に示すような把持範囲３２及び外部マイク投影範囲３４を避け、さらに、撮像装置本体１０の長手方向の最大寸法も抑えることができる。機能的にもスペース的にも効率の良いＧＰＳ受信部２０のレイアウトを実現できる。
【００２０】
図６は、ＣＶＦ部１８及びＧＰＳ受信部２０の位置関係を示す側面図を示す。１８ａは撮影者が撮像画像を視認する際に覗き込む接眼部である。１８ｂは、ＣＶＦ部１８の上面側を覆うＣＶＦ上カバーである。１８ｃは、ＣＶＦ部１８の底面側を覆うＣＶＦ下カバーである。１８ｄは、図示しないＣＶＦ表示装置を駆動するＩＣおよびＣＶＦ表示装置に光を照射するＬＥＤ等を擁するＣＶＦ基板である。１８ｅは、ＣＶＦ基板１８ｄと図示しない撮像装置本体１０内部に配置された本体基板とを電気的に接続するＣＶＦフレキシブルケーブルである。２０ａは、ＣＶＦ部１８の筐体内の上面側に配置されたＧＰＳ基板である。２０ｂはＧＰＳ基板２０ａの上面側の面に配置され上空のＧＰＳ衛星からの位置情報信号を受信可能なＧＰＳアンテナである。２０ｃは内部にＧＰＳを駆動させるＩＣや電源供給用のコンバーターなどを含むＧＰＳモジュールである。２０ｄはＧＰＳ基板２０ａとＣＶＦ基板１８ｄを電気的に接続するＧＰＳフレキシブルケーブルを示す。
【００２１】
ＣＶＦ基板１８ｄの背面側に、図示しないＣＶＦ表示装置が配置される。ＣＶＦ表示装置は、図示しないフレキシブルケーブルによってＣＶＦ基板１８ｄに電気的に接続し、図示しない本体基板からの画像信号を画像表示する。ＧＰＳ基板２０ａは、ＣＶＦ下カバー１８ｃの上面側にビス二箇所で固定される。ＧＰＳ基板２０ａの上面側の面にはＧＰＳアンテナ２０ｂが実装され、ＧＰＳ衛星からの信号を受信する。この位置に配置することにより、通常の撮影姿勢ではＧＰＳアンテナ２０ｂが常に上面側を向くこととなり、ＧＰＳ衛星からの信号を常に良好に受信できる。ＧＰＳ基板２０ａおよびＧＰＳアンテナ２０ｂは、ＣＶＦ上カバー１８ｂにより覆われる。ＣＶＦ上カバー１８ｂをＧＰＳ信号の受信に影響の無いまたは少ないモールド部材で構成し、信号受信に影響のない塗料による塗装を行うことによって、ＧＰＳ信号の受信が良好になる。
【００２２】
ＧＰＳアンテナ２０ｂで受信された信号は、ＧＰＳモジュール２０ｃによって変換・加工され、ＧＰＳフレキシブルケーブル２０ｄによってＣＶＦ基板１８ｄに送られる。ＣＶＦ基板１８ｄは、ＧＰＳモジュール２０ｃからの信号をＣＶＦフレキシブルケーブル１８ｅを介して図示しない本体内基板に送る。ＧＰＳ受信部２０により計測される位置情報は、記録部２２により撮影画像と共に記録媒体に記録される。
【実施例２】
【００２３】
図７乃至図１１を参照して、本発明の第２実施例を説明する。図７は、第２実施例の上面図を示し、図８は、把持状態での背面図を示す。
【００２４】
１１０は、本実施例に係る撮像装置本体である。１１２は、被写体を撮像するための撮像レンズを有するレンズ部である。１１４は、多数のマイクエレメントを平面状に並べ立体的に音声を集音するサラウンドマイクを構成するマイクである。１１６は、外部マイクや外部ビデオライトなどのアクセサリを取り付けるアクセサリ取付け部である。１１８は、撮像した画像を表示し、ユーザが接眼部を覗き込むことで撮像画像を視認可能なカラービューファインダ部（ＣＶＦ部）である。１２０は、ＣＶＦ部１８の筐体内上面側に配置されＧＰＳ衛星から位置情報を取得するＧＰＳ受信部である。１２８は撮像装置本体１１０に電源を供給するバッテリである。
【００２５】
撮像を行うための内部構成は第１実施例と同様であるので、詳細な説明を省略する。また、ＣＶＦ部１１８及びＧＰＳ受信部１２０の構成も、第１実施例と同様であるので、詳細な説明を省略する。
【００２６】
撮像装置本体１１０は、把持部となりうる記録部が左側部に配置されず、例えば、レンズ部１１２の底面側に配置される。図９は、撮像装置１１０をユーザが把持した際の把持範囲を示す。図９に示すように、把持範囲１３２は、撮像装置本体１１０の上面のほぼ全体にわたる。従って、ＧＰＳ受信部１２０もユーザの手で覆われしまい、この状態で撮影を行うとＧＰＳ衛星からの信号受信感度が著しく低下する。
【００２７】
これを避けるため、本実施例では、図１０に示すように、ＧＰＳ受信部１２０とＣＶＦ部１１８を背面方向に一体に移動可能とした。図１０は、ＣＶＦ部１８を背面側に引き出した状態の背面側からの斜視図を示す。図１１は、ＣＶＦ部１１８を背面側に引き出した状態での上面図を示す。
【００２８】
図１１に示すように、ＣＶＦ部１１８を引き出した状態では、ＧＰＳ受信部１２０は把持範囲１３２を避けた位置まで移動する。このように構成することで、撮影時にＣＶＦ部１１８を引き出した状態で撮影を行えば、ＧＰＳ信号の受信感度を損なうことなくなる。
【００２９】
高容量バッテリ１２８は、バッテリ２８よりも高容量であり、バッテリ２８より背面方向のサイズが大きく設定されている。この高容量バッテリ１２８を使用して撮影を行う場合、ユーザにＣＶＦ部１１８の引き出しを無意識に促すことになる。
【００３０】
尚、本発明は上述した実施例に限定されないことは明らかであり、ＧＰＳ機能を有する撮像装置に適応可能である。
【符号の説明】
【００３１】
１０：撮像装置本体
１２：レンズ部
１４：マイク
１６：アクセサリ取付け部
１８：カラービューファインダ部（ＣＶＦ部）
２０：ＧＰＳ受信部
２２：記録部
２４：ＬＣＤ部
２８：バッテリ
【図１】
2010245764.tif 000003
【図２】
2010245764.tif 000004
【図３】
2010245764.tif 000005
【図４】
2010245764.tif 000006
【図５】
2010245764.tif 000007
【図６】
2010245764.tif 000008
【図７】
2010245764.tif 000009
【図８】
2010245764.tif 000010
【図９】
2010245764.tif 000011
【図１０】
2010245764.tif 000012
【図１１】
2010245764.tif 000013